【手続補正書】
【提出日】平成30年9月11日(2018.9.11)
【手続補正１】
【補正対象書類名】明細書
【補正対象項目名】発明の名称
【補正方法】変更
【補正の内容】
【発明の名称】インクジェット記録装置およびインクジェット記録方法
【手続補正２】
【補正対象書類名】明細書
【補正対象項目名】０００１
【補正方法】変更
【補正の内容】
【０００１】
本発明は、インクジェット記録装置およびインクジェット記録方法に関する。
【手続補正３】
【補正対象書類名】明細書
【補正対象項目名】０００６
【補正方法】変更
【補正の内容】
【０００６】
そこで本発明は、上記問題に鑑みてなされたものであり、コスト上昇を抑えつつ高画質な印刷物を製造することが可能なインクジェット記録装置およびインクジェット記録方法を提供することを目的とする。
【手続補正４】
【補正対象書類名】明細書
【補正対象項目名】０００７
【補正方法】変更
【補正の内容】
【０００７】
上記目的を達成するために、本発明にかかるインクジェット記録装置は、被処理物表面をプラズマ処理することで該被処理物の少なくとも表面を酸性化するプラズマ処理手段と、前記プラズマ処理手段によるプラズマ処理後の前記被処理物表面にインクジェット記録処理を実行する記録手段と、を備え、前記プラズマ処理手段は、前記インクジェット記録処理で使用されるインクの色に対応したプラズマエネルギーでプラズマ処理を行う、ことを特徴とする。
【手続補正５】
【補正対象書類名】明細書
【補正対象項目名】０００８
【補正方法】変更
【補正の内容】
【０００８】
また、本発明にかかるインクジェット記録方法は、インクジェット記録処理によって画像を形成するインクジェット記録方法であって、被処理物表面をプラズマ処理することで該被処理物の少なくとも表面を酸性化するプラズマ処理工程と、前記プラズマ処理工程によるプラズマ処理後の前記被処理物表面にインクジェット記録処理を実行する記録工程と、を含み、前記プラズマ処理工程は、前記インクジェット記録処理で使用されるインクの色に対応したプラズマエネルギーでプラズマ処理を行う、ことを特徴とする。
【手続補正６】
【補正対象書類名】明細書
【補正対象項目名】０００９
【補正方法】変更
【補正の内容】
【０００９】
本発明によれば、コスト上昇を抑えつつ高画質な印刷物を製造することが可能なインクジェット記録装置およびインクジェット記録方法を提供することができる。
【手続補正７】
【補正対象書類名】明細書
【補正対象項目名】００１７
【補正方法】変更
【補正の内容】
【００１７】
つづいて、本発明の実施形態にかかるインクジェット記録装置およびインクジェット記録方法について、図面を参照して詳細に説明する。
【手続補正８】
【補正対象書類名】特許請求の範囲
【補正対象項目名】全文
【補正方法】変更
【補正の内容】
【特許請求の範囲】
【請求項１】
被処理物表面をプラズマ処理することで該被処理物の少なくとも表面を酸性化するプラズマ処理手段と、
前記プラズマ処理手段によるプラズマ処理後の前記被処理物表面にインクジェット記録処理を実行する記録手段と、
を備え、
前記プラズマ処理手段は、前記インクジェット記録処理で使用されるインクの色に対応したプラズマエネルギーでプラズマ処理を行う、
ことを特徴とするインクジェット記録装置。
【請求項２】
前記プラズマ処理手段は、前記記録手段により前記被処理物表面に付与されるインクの粘度が所定の粘度以上となるプラズマエネルギーでプラズマ処理を行う、
ことを特徴とする請求項１に記載のインクジェット記録装置。
【請求項３】
前記プラズマ処理手段は、多色印刷モードと単色印刷モードとにおいて、前記プラズマ処理時のプラズマエネルギーを異ならせる、
ことを特徴とする請求項１に記載のインクジェット記録装置。
【請求項４】
前記プラズマエネルギーを調節する制御手段と、
前記インクジェット記録処理により前記被処理物に形成された画像を読み取る読取手段と、
をさらに備え、
前記制御手段は、前記読取手段で読み取られた前記画像におけるドットの真円度、ドット径および顔料濃度偏差のうち少なくとも１つを解析し、当該解析結果に基づいて、前記プラズマ処理時のプラズマエネルギーを調節することを特徴とする請求項１ないし３の何れか一項に記載のインクジェット記録装置。
【請求項５】
前記プラズマエネルギーを調節する制御手段と、
前記プラズマ処理時のプラズマエネルギーの最適値を、前記インクジェット記録処理で使用するインクの色に加え、前記被処理物の種類およびドットのインク滴量のうち少なくとも１つに対応づけて記憶する記憶手段と、
をさらに備え、
前記制御手段は、前記インクジェット記録処理で使用されるインクの色に加え、該インクジェット記録処理で使用されるインク滴量と、前記被処理物の種類とのうち少なくとも１つを特定し、前記インクの色に加え、当該特定された前記インク滴量および前記被処理物の種類のうち少なくとも１つを用いて前記記憶手段から前記プラズマエネルギーの最適値を取得し、該取得したプラズマエネルギーの最適値に基づいて前記プラズマ処理時のプラズマエネルギーを調節することを特徴とする請求項１ないし３の何れか一項に記載のインクジェット記録装置。
【請求項６】
前記記憶手段は、前記記録手段に設定された印刷モードまたは前記インクジェット記録処理で使用するインクの組み合わせにさらに対応づけて、前記プラズマエネルギーの最適値を記憶し、
前記制御手段は、前記インクの色と、前記インク滴量および前記被処理物の種類のうち少なくとも１つと、に加え、前記記録手段に設定された印刷モードまたは前記インクジェット記録処理で使用するインクの組み合わせをさらに特定し、前記インクの色に加え、前記インク滴量および前記被処理物の種類のうち少なくとも１つと、前記記録手段に設定された印刷モードまたは前記インクジェット記録処理で使用するインクの組み合わせとを用いて前記記憶手段から前記プラズマエネルギーの最適値を取得し、該取得したプラズマエネルギーの最適値に基づいて前記プラズマ処理時のプラズマエネルギーを調節することを特徴とする請求項５に記載のインクジェット記録装置。
【請求項７】
前記記録手段は、予め用意されたテストパターンを前記プラズマ処理後の被処理物に形成し、
前記制御手段は、前記読取手段で読み取られた前記テストパターンにおけるドットの真円度、ドット径および顔料濃度偏差のうち少なくとも１つを解析することを特徴とする請求項４に記載のインクジェット記録装置。
【請求項８】
前記テストパターンは、少なくとも前記インクジェット記録処理で使用するインクを用いて少なくとも２種類以上の異なるドット径のドットを前記記録手段に形成させることを特徴とする請求項７に記載のインクジェット記録装置。
【請求項９】
前記制御手段は、調節後の前記プラズマエネルギーで前記記憶手段を更新することを特徴とする請求項５に記載のインクジェット記録装置。
【請求項１０】
インクジェット記録処理によって画像を形成するインクジェット記録方法であって、
被処理物表面をプラズマ処理することで該被処理物の少なくとも表面を酸性化するプラズマ処理工程と、
前記プラズマ処理工程によるプラズマ処理後の前記被処理物表面にインクジェット記録処理を実行する記録工程と、
を含み、
前記プラズマ処理工程は、前記インクジェット記録処理で使用されるインクの色に対応したプラズマエネルギーでプラズマ処理を行う、
ことを特徴とするインクジェット記録方法。